【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
ポリウレタン骨格に側方結合した１つ又は複数のテザー第三級アミノ基を有する前記ポリウレタン骨格を有するポリウレタンの水性分散体を含み、前記第三級アミノ基が場合によって部分的又は完全に中和又は四級化されており、前記第三級アミン基が前記ポリウレタン骨格からそれらのテザー基における少なくとも２個の介在原子により分離されている、水性カチオン性ポリウレタン分散体（ＰＵＤ）。
【請求項２】
前記ポリウレタンの合成中に約２つのイソシアネート反応性水素を有する少なくとも１つの第三級アミノ基化合物を反応させることにより前記テザー第三級アミノ基が前記ポリウレタンに組み込まれ、前記中和又は四級化テザー第三級アミノ基がカチオン基を形成している、請求項１に記載の分散体。
【請求項３】
前記ポリウレタン骨格が２つ以上のイソシアネート反応性水素を有するポリオールを反応させることによる反復単位も含み、前記ポリオールが少なくとも１つのポリエステルポリオール、ポリカーボネートポリオール又はポリエーテルポリオールを含む、請求項２に記載の分散体。
【請求項４】
前記水性カチオン性ポリウレタン分散体のウレタンプレポリマー又はポリマー固体が少なくとも２５重量％である、請求項１に記載の分散体。
【請求項５】
前記ポリウレタンに結合した非イオン性又は両性イオン性コロイド安定化部分をさらに含む、請求項１に記載の分散体。
【請求項６】
約２つの活性水素を有する前記少なくとも１つの第三級アミノ基化合物の少なくとも１つが化合物当たり１つ又は複数のテザー第三級アミノ基を含んだ、請求項２又は３に記載の分散体。
【請求項７】
前記ポリウレタンが少なくとも１つの脂肪族又は芳香族ジイソシアネートを前記少なくとも１つの第三級アミノ基化合物と反応させることにより得られる、請求項２、３又は６のいずれかに記載の分散体。
【請求項８】
前記テザー第三級アミノ基がポリウレタン１グラム当たり約０．１〜約１０ミリ当量の量で存在する、請求項１から７のいずれかに記載の分散体。
【請求項９】
前記テザー第三級アミノ基がポリウレタン１グラム当たり約０．３〜約３ミリ当量の量で存在する、請求項１から８のいずれかに記載の分散体。
【請求項１０】
前記テザー第三級アミノ基が３−ジメチルアミノプロピルアミノ−１，１’−ビス−（プロパン−２−オール）又はＮ，Ｎ，Ｎ’−トリメチル−Ｎ’−ヒドロキシエチルビスアミノエチルエーテルに由来する、請求項１から９のいずれかに記載の分散体。
【請求項１１】
前記テザー第三級アミノ基の少なくとも２５％が中和されてカチオン中心を形成する、請求項１から１０のいずれかに記載の分散体。
【請求項１２】
前記テザー第三級アミノ基の少なくとも２５％が四級化されてカチオン中心を形成する、請求項１から１１のいずれかに記載の分散体。
【請求項１３】
ポリ（ビニルアルコール）とブレンドされている、請求項１から１２のいずれかに記載の分散体。
【請求項１４】
請求項１から１３のいずれかに記載の分散体を含む、水系デジタル印刷用途のためのコーティング。
【請求項１５】
少なくとも１つの第三級アミノ基及び約２つの活性水素を有する１つ又は複数の化合物をジイソシアネートと反応させて、１つ又は複数のテザー第三級アミノ基を有するポリウレタン骨格を有するポリウレタンを形成することにより、請求項１に記載のポリウレタン分散体（ＰＵＤ）を作製する方法であって、テザー第三級アミノ基がジイソシアネートとの反応により形成され、前記テザー第三級アミノ基の少なくとも１つが少なくとも２個の原子により前記ポリウレタン骨格から分離されるように、前記第三級アミノ基が前記第三級アミノ基化合物に配置されている、方法。
【請求項１６】
前記テザー第三級アミノ基の少なくとも２５％を中和してカチオン中心を形成するステップを含む、請求項１５に記載の方法。
【請求項１７】
前記テザー第三級アミノ基の少なくとも２５％を四級化してカチオン中心を形成するステップを含む、請求項１５のいずれかに記載の方法。
【請求項１８】
前記テザー第三級アミノ基がポリウレタン１グラム当たり約０．１〜約１０ミリ当量の量で存在する、請求項１５から１７のいずれかに記載の方法。
【請求項１９】
前記テザー第三級アミノ基がポリウレタン１グラム当たり約０．３〜約３ミリ当量の量で存在する、請求項１５から１７のいずれかに記載の方法。
【請求項２０】
第三級アミノ基を有する前記１つ又は複数の化合物が３−ジメチルアミノプロピルアミノ−１，１’−ビス−（プロパン−２−オール）又はＮ，Ｎ，Ｎ’−トリメチル−Ｎ’−ヒドロキシエチルビスアミノエチルエーテルを含む、請求項１５から１９のいずれかに記載の方法。
【請求項２１】
前記ポリウレタン分散体が、水への分散中又は分散後に鎖延長されるポリウレタンプレポリマーから調製される、請求項１５から１９に記載の方法。
【請求項２２】
請求項１から１３のいずれかに記載の分散体または請求項１４に記載のコーティングで被覆されたインク受容基材。
【請求項２３】
不織布又はテキスタイルである、請求項２２に記載のインク受容基材。
【請求項２４】
紙である、請求項２３に記載のインク受容基材。
【請求項２５】
ポリマーフィルムである、請求項２２に記載のインク受容基材。
【請求項２６】
ポリウレタン骨格に結合した１つ又は複数の末端第三級アミノ基を有するポリウレタン骨格を有するポリウレタンの水性分散体を含み、前記末端第三級アミノ基が末端基当たり２つ以上の第三級アミノ基からなり、場合によって部分的又は完全に中和又は四級化されている、末端第三級アミノ基を有する水性カチオン性ポリウレタン分散体（ＰＵＤ）。
【請求項２７】
前記末端第三級アミノ基の少なくとも２５％が中和された形の少なくとも１つの第三級アミノ基（カチオン中心）を含む、請求項２６に記載の水性分散体。
【請求項２８】
前記末端第三級アミノ基の少なくとも２５％が四級化された形の少なくとも１つの第三級アミノ基（カチオン中心）を含む、請求項２６に記載の水性分散体。
【請求項２９】
前記末端第三級アミノ基がポリウレタン１グラム当たり約０．１〜約１０ミリ当量の量で存在する、請求項２６から２８のいずれかに記載の水性分散体。
【請求項３０】
前記末端第三級アミノ基がポリウレタン１グラム当たり約０．２〜約３ミリ当量の量で存在する、請求項２６から２８のいずれかに記載の水性分散体。
【請求項３１】
前記ポリウレタンに結合した非イオン性又は両性イオン性コロイド安定化部分をさらに含む、請求項２６から３０のいずれかに記載の水性分散体。
【請求項３２】
前記第三級アミノ基が少なくともリン酸を含む少なくとも１つの中和酸で部分的又は完全に中和されている、請求項１に記載の分散体。
【請求項３３】
前記ポリウレタンと適合する１つ若しくは複数のポリマー、又は前記ポリマー分散体と適合するポリマー分散体をさらに含む、請求項１に記載の分散体。
【請求項３４】
ポリウレタンの前記水性分散体がポリウレタンの分散粒子を含み、ポリウレタンの前記分散粒子が、ポリウレタン及びビニルポリマーの組み合わせた重量に対して少なくとも１重量パーセントのビニルポリマーをさらに含み、それによりハイブリッドポリウレタン分散体を構成する、請求項１に記載の分散体。
【請求項３５】
前記ビニルポリマーがアクリルポリマーである、請求項３４に記載の分散体。
【手続補正２】
【補正対象書類名】明細書
【補正対象項目名】００１０
【補正方法】変更
【補正の内容】
【００１０】
分散体は、低いウィッキング、高い耐摩耗性、ひずみのない色及び速い乾燥速度などの優れた特性を有するインク受容コーティング（例えば、インクジェットインク用の受容コーティング）に用いることができる。本発明のウレタンの他の有用な特性は、アニオン性基材への親和性並びにデジタル印刷用途及び本明細書で述べた他の用途において補助としてしばしば使用されるカチオン性物質及び多価金属イオンとの水中分散体としての適合性などである。
一実施形態において、例えば、以下の項目が提供される。
（項目１）
ポリウレタン骨格セグメントに側方結合した１つ又は複数のテザー第三級アミノ基を有する前記骨格セグメントを有するポリウレタンの水性分散体を含み、前記第三級アミノ基が場合によって部分的又は完全に中和又は四級化されており、前記第三級アミン基が前記ポリウレタン骨格からそれらのテザー基における少なくとも２個の介在原子により分離されている、水性カチオン性ポリウレタン分散体（ＰＵＤ）。
（項目２）
前記ポリウレタンの合成中に約２つのイソシアネート反応性水素を有する少なくとも１つの第三級アミノ基化合物を反応させることにより前記テザー第三級アミノ基が前記ポリウレタンに組み込まれ、前記中和又は四級化テザー第三級アミノ基がカチオン基を形成している、項目１に記載の分散体。
（項目３）
前記ポリウレタン骨格が２つ以上のイソシアネート反応性水素を有するポリオールを反応させることによる反復単位も含み、前記ポリオールが少なくとも１つのポリエステルポリオール、ポリカーボネートポリオール又はポリエーテルポリオールを含む、項目２に記載の分散体。
（項目４）
前記水性カチオン性ポリウレタン分散体のウレタンプレポリマー又はポリマー固体が少なくとも２５重量％である、項目１に記載の分散体。
（項目５）
前記ポリウレタンに結合した非イオン性又は両性イオン性コロイド安定化部分をさらに含む、項目１に記載の分散体。
（項目６）
約２つの活性水素を有する前記少なくとも１つの第三級アミノ基化合物の少なくとも１つが化合物当たり１つ又は複数のテザー第三級アミノ基を含んだ、項目２又は３に記載の分散体。
（項目７）
前記ポリウレタンが少なくとも１つの脂肪族又は芳香族ジイソシアネートを前記少なくとも１つの第三級アミノ基化合物と反応させることにより得られる、項目２、３又は６のいずれかに記載の分散体。
（項目８）
前記テザー第三級アミノ基がポリウレタン１グラム当たり約０．１〜約１０ミリ当量の量で存在する、前記項目のいずれかに記載の分散体。
（項目９）
前記テザー第三級アミノ基がポリウレタン１グラム当たり約０．３〜約３ミリ当量の量で存在する、前記項目のいずれかに記載の分散体。
（項目１０）
前記テザー第三級アミノ基が３−ジメチルアミノプロピルアミノ−１，１’−ビス−（プロパン−２−オール）又はＮ，Ｎ，Ｎ’−トリメチル−Ｎ’−ヒドロキシエチルビスアミノエチルエーテルに由来する、前記項目のいずれかに記載の分散体。
（項目１１）
前記テザー第三級アミノ基の少なくとも２５％が中和されてカチオン中心を形成する、前記項目のいずれかに記載の分散体。
（項目１２）
前記テザー第三級アミノ基の少なくとも２５％が四級化されてカチオン中心を形成する、前記項目のいずれかに記載の分散体。
（項目１３）
ポリ（ビニルアルコール）とブレンドされている、前記項目のいずれかに記載の分散体。
（項目１４）
項目１から１３のいずれかに記載の分散体を含む、水系デジタル印刷用途のためのコーティング。
（項目１５）
少なくとも１つの第三級アミノ基及び約２つの活性水素を有する１つ又は複数の化合物をジイソシアネートと反応させて、１つ又は複数のテザー第三級アミノ基を有するポリウレタン骨格セグメントを有するポリウレタンを形成することにより、項目１に記載のポリウレタン分散体（ＰＵＤ）を作製する方法であって、テザー第三級アミノ基がジイソシアネートとの反応により形成され、前記テザー第三級アミノ基の少なくとも１つが少なくとも２個の原子により前記ポリウレタン骨格から分離されるように、前記第三級アミノ基が前記第三級アミノ基化合物に配置されている、方法。
（項目１６）
前記テザー第三級アミノ基の少なくとも２５％を中和してカチオン中心を形成するステップを含む、項目１５に記載の方法。
（項目１７）
前記テザー第三級アミノ基の少なくとも２５％を四級化してカチオン中心を形成するステップを含む、項目１５のいずれかに記載の方法。
（項目１８）
前記テザー第三級アミノ基がポリウレタン１グラム当たり約０．１〜約１０ミリ当量の量で存在する、項目１５から１７のいずれかに記載の方法。
（項目１９）
前記テザー第三級アミノ基がポリウレタン１グラム当たり約０．３〜約３ミリ当量の量で存在する、項目１５から１７のいずれかに記載の方法。
（項目２０）
第三級アミノ基を有する前記１つ又は複数の化合物が３−ジメチルアミノプロピルアミノ−１，１’−ビス−（プロパン−２−オール）又はＮ，Ｎ，Ｎ’−トリメチル−Ｎ’−ヒドロキシエチルビスアミノエチルエーテルを含む、項目１５から１９のいずれかに記載の方法。
（項目２１）
前記ポリウレタン分散体が、水への分散中又は分散後に鎖延長されるポリウレタンプレポリマーから調製される、項目１５から１９に記載の方法。
（項目２２）
項目１から１４のいずれかに記載の組成物で被覆されたインク受容基材。
（項目２３）
不織布又はテキスタイルである、項目２２に記載のインク受容基材。
（項目２４）
紙である、項目２３に記載のインク受容基材。
（項目２５）
ポリマーフィルムである、項目２２に記載のインク受容基材。
（項目２６）
ポリウレタン骨格セグメントに結合した１つ又は複数の末端第三級アミノ基を有するポリウレタン骨格セグメントを有するポリウレタンの水性分散体を含み、前記末端第三級アミノ基が末端基当たり２つ以上の第三級アミノ基からなり、場合によって部分的又は完全に中和又は四級化されている、末端第三級アミノ基を有する水性カチオン性ポリウレタン分散体（ＰＵＤ）。
（項目２７）
前記末端第三級アミノ基の少なくとも２５％が中和された形の少なくとも１つの第三級アミノ基（カチオン中心）を含む、項目２６に記載の水性分散体。
（項目２８）
前記末端第三級アミノ基の少なくとも２５％が四級化された形の少なくとも１つの第三級アミノ基（カチオン中心）を含む、項目２６に記載の水性分散体。
（項目２９）
前記末端第三級アミノ基がポリウレタン１グラム当たり約０．１〜約１０ミリ当量の量で存在する、項目２６から２８のいずれかに記載の水性分散体。
（項目３０）
前記末端第三級アミノ基がポリウレタン１グラム当たり約０．２〜約３ミリ当量の量で存在する、項目２６から２８のいずれかに記載の水性分散体。
（項目３１）
前記ポリウレタンに結合した非イオン性又は両性イオン性コロイド安定化部分をさらに含む、項目２６から３０のいずれかに記載の水性分散体。
（項目３２）
前記第三級アミノ基が少なくともリン酸を含む少なくとも１つの中和酸で部分的又は完全に中和されている、項目１に記載の分散体。
（項目３３）
前記ポリウレタンと適合する１つ若しくは複数のポリマー、又は前記ポリマー分散体と適合するポリマー分散体をさらに含む、項目１に記載の分散体。
（項目３４）
ポリウレタンの前記水性分散体がポリウレタンの分散粒子を含み、ポリウレタンの前記分散粒子が、ポリウレタン及びビニルポリマーの組み合わせた重量に対して少なくとも１重量パーセントのビニルポリマーをさらに含み、それによりハイブリッドポリウレタン分散体を構成する、項目１に記載の分散体。
（項目３５）
前記ビニルポリマーがアクリルポリマーである、項目３４に記載の分散体。